(57)【要約】      （修正有）【課題】上段に位置する箱型のフォーク挿入口にフォークを挿入する際に、フォークが、外側傾斜面に案内されながら、上段に位置する箱型に組み立てられたボックスパレットのパレット部材に形成されたフォーク挿入口に挿入されるように構成し、下段に位置する箱型に組み立てられたボックスパレットの引き抜き側壁部材の損傷を防止する。【解決手段】相対する高部土手部１ａと相対する低部土手部１ｂとを有するパレット部材と、相対する高部土手部に配置される引き抜き側壁部材２と、相対する低部土手部にヒンジ連結されたヒンジ連結側壁部材３とからなるボックスパレットＢにおいて、引き抜き側壁部材２の上端面に、引き抜き側壁部材２の外壁面側に傾斜した外側傾斜面２ｃ１を形成したものである。【選択図】図６
2014162556.tif 000002
【特許請求の範囲】
【請求項１】
相対する高部土手部と相対する低部土手部とを有するパレット部材と、相対する高部土手部に配置される引き抜き側壁部材と、相対する低部土手部にヒンジ連結されたヒンジ連結側壁部材とからなるボックスパレットにおいて、引き抜き側壁部材の上端面に、引き抜き側壁部材の外壁面側に傾斜した外側傾斜面が形成されていることを特徴とするボックスパレット。
【請求項２】
引き抜き側壁部材の上端面に突設された嵌合凸部間に、凹部が形成されていることを特徴とする請求項１に記載のボックスパレット。
【発明の詳細な説明】
【技術分野】
【０００１】
本発明は、相対する高部土手部、相対する低部土手部及びフォーク挿入口が形成されているパレット部材と、相対する高部土手部から上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットに関するものである。
【背景技術】
【０００２】
上述した相対する高部土手部、相対する低部土手部及びフォーク挿入口が形成されているパレット部材と、相対する高部土手部から上方に引き抜き可能な側壁部材と、相対する低部土手部にヒンジ連結された側壁部材とからなり、高部土手部に、略垂直に立てられた状態の側壁部材を、上方に引き抜き、次いで、低部土手部にヒンジ連結された略垂直な側壁部材を、パレット部材に重なるように倒し、その後、パレット部材に重なるように倒された側壁部材を覆うように、引き抜かれた側壁部材を重ねるように構成されたボックスパレットが、特許文献１に開示されている。
【０００３】
また、パレット部材に対して、略垂直に、上方に引き抜き可能な側壁部材とヒンジ連結された側壁部材を立てることにより、ボックスパレットが、箱型に組み立てられることになるが、箱型に組み立てられたボックスパレットを、段積みすることが行われている。
【先行技術文献】
【特許文献】
【０００４】
【特許文献１】特開２０１２−１９２９３８号公報
【発明の概要】
【発明が解決しようとする課題】
【０００５】
段積みされた箱型に組み立てられたボックスパレットの上段に位置するボックスパレットを、下段に位置するボックスパレットから持ち上げ、搬送するために、上段に位置するボックスパレットのフォーク挿入口にフォークを挿入することになるが、この際、フォークの先端が、下段に位置する側壁部材に当接し、下段に位置する側壁部材が損傷するという問題があった。
【０００６】
また、折り畳まれた状態のボックスパレットを、箱型に組み立てる際には、先ず最初に、一番上に位置する、水平状態の上方に引き抜き可能な側壁部材を、取り外すことになるが、上方に引き抜き可能な側壁部材には、手を引っかけるような隙間等が無いために、水平状態の上方に引き抜き可能な側壁部材の取り外し作業の作業性が悪いという問題があった。
【０００７】
本発明の目的は、上述した従来のボックスパレットが有する課題を、解決することにある。
【課題を解決するための手段】
【０００８】
本発明は、上述した目的を達成するために、相対する高部土手部と相対する低部土手部とを有するパレット部材と、相対する高部土手部に配置される引き抜き側壁部材と、相対する低部土手部にヒンジ連結されたヒンジ連結側壁部材とからなるボックスパレットにおいて、第１には、引き抜き側壁部材の上端面に、引き抜き側壁部材の外壁面側に傾斜した外側傾斜面を形成したものであり、第２には、引き抜き側壁部材の上端面に突設された嵌合凸部間に、凹部を形成したものである。
【発明の効果】
【０００９】
相対する高部土手部と相対する低部土手部とを有するパレット部材と、相対する高部土手部に配置される引き抜き側壁部材と、相対する低部土手部にヒンジ連結されたヒンジ連結側壁部材とからなるボックスパレットにおいて、引き抜き側壁部材の上端面に、引き抜き側壁部材の外壁面側に傾斜した外側傾斜面を形成したので、箱型に組み立てられたボックスパレットが段積みされた状態において、上段に位置する箱型のフォーク挿入口にフォークを挿入する際に、フォークが、外側傾斜面に案内されながら、上段に位置する箱型に組み立てられたボックスパレットのパレット部材に形成されたフォーク挿入口に挿入されるように構成されているので、下段に位置する箱型に組み立てられたボックスパレットの引き抜き側壁部材の損傷を防止することができる。
【００１０】
引き抜き側壁部材の上端面に突設された嵌合凸部間に、凹部を形成したので、折り畳まれたボックスパレットの引き抜き側壁部材の取り外し作業の作業効率が向上する。
【図面の簡単な説明】
【００１１】
【図１】図１は、本発明のボックスパレットが箱型に組み立てられた状態の斜視図である。
【図２】図２は、本発明のボックスパレットが折り畳まれた状態の斜視図である。
【図３】図３は、本発明のボックスパレットを構成する側壁部材の斜視図である。
【図４】図４は、同じく、本発明のボックスパレットを構成する側壁部材の斜視図である。
【図５】図５は、本発明のボックスパレットを構成する側壁部材の部分拡大斜視図である。
【図６】図６は、本発明のボックスパレットが段積みされた状態の斜視図である。
【図７】図７は、本発明のボックスパレットが段積みされる直前のボックスパレットの部分拡大斜視図である。
【図８】図８は、本発明のボックスパレットが折り畳まれた状態の部分拡大斜視図である。
【実施例】
【００１２】
以下に、本発明の実施例について説明するが、本発明の趣旨を越えない限り、何ら、本発明の実施例に限定されるものではない。
【００１３】
図１において、Ｂは、ボックスパレットであり、ボックスパレットＢは、パレット部材１と、相対する一方の側壁部材２と、相対するもう一方の側壁部材３とから構成されている。
【００１４】
パレット部材１は、パレット部材１の相対する一方の辺部に形成された土手部１ａと、パレット部材１の相対するもう一方の辺部に形成された土手部１ｂとを有しているとともに、相対する一方の辺部に形成された土手部１ａは、相対するもう一方の辺部に形成された土手部１ｂより高く形成されている。以下、相対する一方の辺部に形成された土手部１ａを、高部土手部と称し、また、高部土手部１ａより低い、相対するもう一方の辺部に形成された土手部１ｂを、以下、低部土手部と称する。
【００１５】
パレット部材１の裏面の相対する辺部には、低部土手部１ｂに沿って、側部桁１ｃが形成されており、また、相対する側部桁１ｃの中間部には、側部桁１ｃに略平行な中間桁１ｄが形成されており、側部桁１ｃと中間桁１ｄとの間には、２本の下方が全面開口されたフォーク挿入口１ｅが形成されている。
【００１６】
相対する一方の側壁部材２と相対するもう一方の側壁部材３とが、共に、略垂直に立てられた状態から、特許文献１に開示されているように、一方の側壁部材２を、高部土手部１ａから上方に引き抜き、次いで、低部土手部１ｂにヒンジ連結されたもう一方の側壁部材３を、パレット部材１に重なるように倒し、その後、引き抜かれた相対する一方の側壁部材２を、パレット部材１に重ねられた相対するもう一方の側壁部材３に重ねることにより、図１に示されている箱型に組み立てられたボックスパレットＢを、図２に示されているように、折り畳むことができるように構成されている。なお、以下、高部土手部１ａから引き抜き可能な側壁部材２を、引き抜き側壁部材と称し、また、低部土手部１ｂにヒンジ連結された側壁部材３を、ヒンジ連結側壁部材と称する。
【００１７】
次に、図３〜図５用いて、引き抜き側壁部材２について説明する。
【００１８】
引き抜き側壁部材２の上端面２ａの両端部付近には、端部嵌合凸部２ｂ１が突設されており、端部嵌合凸部２ｂ１の中間には、中間嵌合凸部２ｂ２が突設されている。
【００１９】
また、端部嵌合凸部２ｂ１と中間嵌合凸部２ｂ２との間に位置する引き抜き側壁部材２の上端面２ａには、引き抜き側壁部材２の外壁面（ボックスパレットＢが、箱型に組み立てられた際に、外側に位置する面）２Ａ側に傾斜した外側傾斜面２ｃ１が形成されている。更に、端部嵌合凸部２ｂ１と中間嵌合凸部２ｂ２との間に位置する引き抜き側壁部材２の上端面２ａには、引き抜き側壁部材２の内壁面（ボックスパレットＢが、箱型に組み立てられた際に、内側に位置する面）２Ｂ側に傾斜した内側傾斜面２ｃ２が形成されている。
【００２０】
次に、図６及び図７を用いて、箱型に組み立てられたボックスパレットＢの段積みについて説明する。
【００２１】
図６に示されているように、下段に位置する箱型に組み立てられたボックスパレットＢ１の上に、上段に位置する箱型に組み立てられたボックスパレットＢ２を段積みした際には、下段に位置するボックスパレットＢ１の引き抜き側壁部材２の上端面２ａに突設された端部嵌合凸部２ｂ１が、上段に位置するボックスパレットＢ２のパレット部材１の側部桁１ｃに形成された嵌合凹部１ｃ１に嵌合され、また、下段に位置するボックスパレットＢ２の引き抜き側壁部材２の上端面２ａに突設された中間嵌合凸部２ｂ２が、上段に位置するボックスパレットＢ２のパレット部材１の中間桁１ｄに形成された嵌合凹部１ｄ１に嵌合されるように構成されている。このように構成することにより、段積みされたボックスパレットＢの水平方向の移動を防止することができる。
【００２２】
なお、図１に示されているように、ヒンジ連結側壁部材３の上端面３ａの両端部付近にも、端部嵌合凸部３ｂ１が突設されており、端部嵌合凸部３ｂ１の中間には、中間嵌合凸部３ｂ２が突設されている。また、ヒンジ連結側壁部材３がヒンジ連結されるパレット部材１の低部土手部１ｂには、箱型に組み立てられたボックスパレットＢを段積みした際に、端部嵌合凸部３ｂ１が嵌合される嵌合凹部１ｆ１が形成されているとともに、パレット部材１の低部土手部１ｂには、中間嵌合凸部３ｂ２が嵌合される嵌合凹部１ｆ２が形成されている。このように構成することにより、段積みされたボックスパレットＢの水平方向の移動を確実に防止することができる。
【００２３】
図６に示されているように、下段に位置する箱型に組み立てられたボックスパレットＢ１の上に、上段に位置する箱型に組み立てられたボックスパレットＢ２を段積みした場合において、上段に位置する箱型に組み立てられたボックスパレットＢ２を持ち上げるために、上段に位置する箱型に組み立てられたボックスパレットＢ２のパレット部材１に形成されたフォーク挿入口１ｅにフォークを挿入することになるが、従来のボックスパレットにおいては、下段に位置する箱型に組み立てられたボックスパレットＢ１の引き抜き側壁部材２の上端部に、フォークの先端部が当接し、下段に位置する箱型に組み立てられたボックスパレットＢ１の引き抜き側壁部材２が損傷するという問題があったが、本発明においては、下段に位置する箱型に組み立てられたボックスパレットＢ１の引き抜き側壁部材２の上端面２ａには、外側傾斜面２ｃ１が形成されているので、外側傾斜面２ｃ１に案内されながら、フォークが、上段に位置する箱型に組み立てられたボックスパレットＢ２のパレット部材１に形成されたフォーク挿入口１ｅに挿入されるように構成されているので、下段に位置する箱型に組み立てられたボックスパレットＢ１の引き抜き側壁部材２の損傷を防止することができる。
【００２４】
また、図２及び図８に示されているように、ボックスパレットＢが折り畳まれた状態においては、水平状態の相対する引き抜き側壁部材２の上端面２ａに突設された端部嵌合凸部２ｂ１同士及び中間嵌合凸部２ｂ２同士が、互いに接近するように構成されている。このように構成することにより、端部嵌合凸部２ｂ１と中間嵌合凸部２ｂ２との間に形成されている凹部２ｄにより、水平状態の相対する引き抜き側壁部材２間には、指が挿入可能な空間部Ｓが形成されることになる。このように構成されているので、折り畳まれたボックスパレットＢの引き抜き側壁部材２を取り外す際には、空間部Ｓに指を入れて、引き抜き側壁部材２を取り外すことができるので、引き抜き側壁部材２の取り外し作業の作業効率が向上する。
【００２５】
更に、上述したように、端部嵌合凸部２ｂ１と中間嵌合凸部２ｂ２との間に位置する引き抜き側壁部材２の上端面２ａに、引き抜き側壁部材２の内壁面２Ｂ側に傾斜した内側傾斜面２ｃ２が形成されているので、水平状態の相対する引き抜き側壁部材２間に形成される空間部Ｓに、指を入れた際に、内側傾斜面２ｃ２に指が当接することになり、このような内側傾斜面２ｃ２が形成されておらず、引き抜き側壁部材２の上端面２ａと内壁面２Ｂとが直角に形成されている場合に較べて、指を痛めるようなことを防止することができる。
【符号の説明】
【００２６】
Ｂ・・・・・・・・・・・・ボックスパレット
１・・・・・・・・・・・・パレット部材
１ａ・・・・・・・・・・・高部土手部
１ｂ・・・・・・・・・・・低部土手部
１ｃ・・・・・・・・・・・側部桁
１ｄ・・・・・・・・・・・中間桁
１ｅ・・・・・・・・・・・フォーク挿入口
２・・・・・・・・・・・・引き抜き側壁部材
２ｂ１・・・・・・・・・・端部嵌合凸部
２ｂ２・・・・・・・・・・中間嵌合凸部
２ｃ１・・・・・・・・・・外側傾斜面
２ｃ２・・・・・・・・・・内側傾斜面
３・・・・・・・・・・・・ヒンジ連結側壁部材
【図１】
2014162556.tif 000003
【図２】
2014162556.tif 000004
【図３】
2014162556.tif 000005
【図４】
2014162556.tif 000006
【図５】
2014162556.tif 000007
【図６】
2014162556.tif 000008
【図７】
2014162556.tif 000009
【図８】
2014162556.tif 000010